(57)【要約】【課題】整髪効果をより向上させることのできるヘアドライヤを得る。【解決手段】ヘアドライヤ１０は、毛髪Ｈの状態を報知する報知部５１と、毛髪Ｈの乾燥時間をカウントするタイマ５４と、毛髪温度測定部５２から出力された出力結果に基づき、報知部５１への出力を演算する演算部５３と、を備えている。そして、演算部５３が、タイマ５４によりカウントされた乾燥時間に基づいて、加熱すべき目標温度を演算し、毛毛髪温度測定部５２から出力された出力結果に基づいて、毛髪温度測定部５２により測定された温度が目標温度に達したか否かを判定し、加熱された毛髪Ｈの温度が目標温度に達したか否かに基づき、報知部５１への出力を制御している。【選択図】図８
2017196020.tif 000002
【特許請求の範囲】
【請求項１】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
毛髪の乾燥時間をカウントするタイマと、
前記毛髪温度測定部から出力された出力結果に基づき、前記報知部への出力を演算する演算部と、
を備え、
前記演算部は、
前記タイマによりカウントされた乾燥時間に基づいて、加熱すべき目標温度を演算し、
前記毛髪温度測定部から出力された出力結果に基づいて、前記毛髪温度測定部により測定された温度が前記目標温度に達したか否かを判定し、
加熱された毛髪の温度が前記目標温度に達したか否かに基づき、前記報知部への出力を制御する、
ことを特徴とするヘアドライヤ。
【請求項２】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
前記毛髪温度測定部から出力された出力結果に基づき、前記報知部への出力を演算する演算部と、
を備え、
前記演算部は、
前記毛髪温度測定部により測定された毛髪の温度の履歴に基づいて、加熱すべき目標温度を演算し、
前記毛髪温度測定部から出力された出力結果に基づいて、前記毛髪温度測定部により測定された温度が前記目標温度に達したか否かを判定し、
加熱された毛髪の温度が前記目標温度に達したか否かに基づき、前記報知部への出力を制御する、
ことを特徴とするヘアドライヤ。
【請求項３】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の水分量を測定する毛髪水分量測定部と、
毛髪の状態を報知する報知部と、
前記毛髪温度測定部から出力された出力結果に基づき、前記報知部への出力を演算する演算部と、
を備え、
前記演算部は、
前記毛髪水分量測定部により測定された毛髪の水分量に基づいて、加熱すべき目標温度を演算し、
前記毛髪温度測定部から出力された出力結果に基づいて、前記毛髪温度測定部により測定された温度が前記目標温度に達したか否かを判定し、
加熱された毛髪の温度が前記目標温度に達したか否かに基づき、前記報知部への出力を制御する、
ことを特徴とするヘアドライヤ。
【請求項４】
前記演算部は、乾燥開始時よりも乾燥終了時のほうが低温となるように前記目標温度を演算することを特徴とする請求項１〜３のうちいずれか１項に記載のヘアドライヤ。
【請求項５】
使用環境の温度を測定する使用環境温度測定部をさらに備え、
前記演算部は、前記使用環境温度測定部により測定された使用環境の温度に基づいて、前記目標温度を調節することを特徴とする請求項１〜４のうちいずれか１項に記載のヘアドライヤ。
【請求項６】
加熱されている毛髪の高さ位置を測定する毛髪高さ測定部をさらに備え、
前記演算部は、前記毛髪高さ測定部により測定された毛髪の高さに基づいて、前記目標温度を調節することを特徴とする請求項１〜５のうちいずれか１項に記載のヘアドライヤ。
【発明の詳細な説明】
【技術分野】
【０００１】
本発明は、ヘアドライヤに関する。
【背景技術】
【０００２】
従来、ヘアドライヤとして、吸入口および吐出口を有する送風流路が形成されたドライヤ本体を備え、吐出口から吐出させた温風を使用者の毛髪にあてて乾燥させるようにしたものが知られている（例えば、特許文献１参照）。
【０００３】
この特許文献１では、送風流路の吸入口側に送風部を配置するとともに、送風流路内の送風部よりも吐出口側に加熱部を配置し、送風部および加熱部を作動させて吸入口から空気を導入して加熱部で加熱することで、吐出口から温風を吐出するようにしている。
【０００４】
さらに、この特許文献１では、毛髪の温度を測定する毛髪温度検出手段が設けられるとともに、毛髪温度検出手段により測定された毛髪の温度に基づき、毛髪の状態（毛髪温度の高低）を報知する毛髪温度認識手段が設けられている。
【０００５】
そして、赤色ＬＥＤと緑色ＬＥＤとで毛髪温度認識手段を構成し、毛髪温度検出手段により検出された毛髪温度が所定の加熱温度に達しないときは、緑色ＬＥＤを点灯させ、所定の加熱温度に達した際に、赤色ＬＥＤを点灯させるようにしている。
【０００６】
こうすることで、使用者は、温風を当てている毛髪が所定の加熱温度に達したことを認識して、他の部位の毛髪に温風を当てるようにすることができる。そのため、毛髪が過度に加熱されてしまったり、一部の毛髪が十分に加熱されていない状態で使用をやめてしまったりするのを抑制することが可能となる。
【０００７】
このように、特許文献１では、毛髪温度検出手段および毛髪温度検出手段を設けることで、毛髪全体を過不足なく加熱できるようにしている。
【先行技術文献】
【特許文献】
【０００８】
【特許文献１】特開平０５−０９５８１３号公報
【発明の概要】
【発明が解決しようとする課題】
【０００９】
このとき、整髪効果をより向上させるようにするのが好ましい。
【００１０】
そこで、本発明は、整髪効果をより向上させることのできるヘアドライヤを得ることを目的とする。
【課題を解決するための手段】
【００１１】
上記従来の課題を解決するために、本発明のヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００１２】
また、ヘアドライヤは、毛髪の温度を測定する毛髪温度測定部と、毛髪の状態を報知する報知部と、毛髪の乾燥時間をカウントするタイマと、前記毛髪温度測定部から出力された出力結果に基づき、前記報知部への出力を演算する演算部と、を備えている。
【００１３】
そして、前記演算部は、前記タイマによりカウントされた乾燥時間に基づいて、加熱すべき目標温度を演算している。
【００１４】
また、前記演算部は、前記毛髪温度測定部から出力された出力結果に基づいて、前記毛髪温度測定部により測定された温度が前記目標温度に達したか否かを判定している。
【００１５】
さらに、前記演算部は、加熱された毛髪の温度が前記目標温度に達したか否かに基づき、前記報知部への出力を制御している。
【発明の効果】
【００１６】
本発明によれば、整髪効果をより向上させることのできるヘアドライヤを得ることができる。
【図面の簡単な説明】
【００１７】
【図１】本発明の実施の形態１にかかるヘアドライヤを模式的に示す側面図である。
【図２】本発明の実施の形態１にかかるヘアドライヤの電気系統の一部を示すブロック図である。
【図３】比較例にかかるヘアドライヤを用いた場合における温風の到達範囲、毛髪温度測定部の検知可能範囲および毛髪の位置を説明する図である。
【図４】本発明の実施の形態１にかかるヘアドライヤを用いた場合における温風の到達範囲、毛髪温度測定部の検知可能範囲および毛髪の位置を説明する図である。
【図５】毛髪を整髪に適した状態とするための条件の一例を説明する図である。
【図６】比較例にかかる制御方法を用いて毛髪を乾燥させた場合における所定の部位での毛髪の乾燥過程を説明する図である。
【図７】本発明の実施の形態１にかかる制御方法を用いて毛髪を乾燥させた場合における所定の部位での毛髪の乾燥過程を説明する図である。
【図８】本発明の実施の形態１にかかるヘアドライヤの動作の一例を示すフローチャートである。
【図９】本発明の実施の形態１の変形例にかかる制御方法を示す図である。
【図１０】本発明の実施の形態２にかかるヘアドライヤを模式的に示す側面図である。
【図１１】本発明の実施の形態２にかかるヘアドライヤの電気系統の一部を示すブロック図である。
【図１２】本発明の実施の形態２にかかる制御方法の一例を示す図である。
【図１３】本発明の実施の形態２にかかるヘアドライヤの動作の一例を示すフローチャートである。
【図１４】本発明の実施の形態３にかかるヘアドライヤを模式的に示す側面図である。
【図１５】本発明の実施の形態３にかかるヘアドライヤの電気系統の一部を示すブロック図である。
【図１６】本発明の実施の形態３にかかるヘアドライヤの動作の一例を示すフローチャートである。
【図１７】本発明の実施の形態４にかかるヘアドライヤを模式的に示す側面図である。
【図１８】本発明の実施の形態４にかかるヘアドライヤの電気系統の一部を示すブロック図である。
【図１９】室温と目標温度との関係を示すグラフである。
【図２０】本発明の実施の形態４にかかる制御方法の一例を示す図である。
【図２１】本発明の実施の形態４にかかるヘアドライヤの動作の一例を示すフローチャートである。
【図２２】本発明の実施の形態５にかかるヘアドライヤを模式的に示す側面図である。
【図２３】本発明の実施の形態５にかかるヘアドライヤの電気系統の一部を示すブロック図である。
【図２４】本発明の実施の形態５にかかる制御方法の一例を示す図である。
【図２５】本発明の実施の形態５にかかるヘアドライヤの動作の一例を示すフローチャートである。
【発明を実施するための形態】
【００１８】
本発明の実施の形態にかかるヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００１９】
また、ヘアドライヤは、毛髪の温度を測定する毛髪温度測定部と、毛髪の状態を報知する報知部と、毛髪の乾燥時間をカウントするタイマと、前記毛髪温度測定部から出力された出力結果に基づき、前記報知部への出力を演算する演算部と、を備えている。
【００２０】
そして、前記演算部は、前記タイマによりカウントされた乾燥時間に基づいて、加熱すべき目標温度を演算している。
【００２１】
また、前記演算部は、前記毛髪温度測定部から出力された出力結果に基づいて、前記毛髪温度測定部により測定された温度が前記目標温度に達したか否かを判定している。
【００２２】
さらに、前記演算部は、加熱された毛髪の温度が前記目標温度に達したか否かに基づき、前記報知部への出力を制御している。
【００２３】
こうすれば、毛髪をより素早く理想領域（所定の温度範囲と所定の水分量範囲で囲まれる領域）の範囲内に納めることが可能となって、整髪効果をより向上させることができるようになる。
【００２４】
また、ヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００２５】
さらに、ヘアドライヤは、毛髪の温度を測定する毛髪温度測定部と、毛髪の状態を報知する報知部と、前記毛髪温度測定部から出力された出力結果に基づき、前記報知部への出力を演算する演算部と、を備えている。
【００２６】
そして、前記演算部は、前記毛髪温度測定部により測定された毛髪の温度の履歴に基づいて、加熱すべき目標温度を演算している。
【００２７】
また、前記演算部は、前記毛髪温度測定部から出力された出力結果に基づいて、前記毛髪温度測定部により測定された温度が前記目標温度に達したか否かを判定している。
【００２８】
さらに、前記演算部は、加熱された毛髪の温度が前記目標温度に達したか否かに基づき、前記報知部への出力を制御している。
【００２９】
こうすれば、毛髪の長さや乾燥開始時の毛髪の濡れ度合いが変わったとしても、より適切な目標温度を演算部によって演算することができるようになるため、毛髪の状態をより適切に使用者に報知することができる。その結果、整髪効果をより向上させることができるようになる。
【００３０】
また、ヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００３１】
さらに、ヘアドライヤは、毛髪の温度を測定する毛髪温度測定部と、毛髪の水分量を測定する毛髪水分量測定部と、毛髪の状態を報知する報知部と、前記毛髪温度測定部から出力された出力結果に基づき、前記報知部への出力を演算する演算部と、を備えている。
【００３２】
そして、前記演算部は、前記毛髪水分量測定部により測定された毛髪の水分量に基づいて、加熱すべき目標温度を演算している。
【００３３】
また、前記演算部は、前記毛髪温度測定部から出力された出力結果に基づいて、前記毛髪温度測定部により測定された温度が前記目標温度に達したか否かを判定している。
【００３４】
さらに、前記演算部は、加熱された毛髪の温度が前記目標温度に達したか否かに基づき、前記報知部への出力を制御している。
【００３５】
こうすれば、毛髪を乾燥させる際に途中で冷風をあてる等した場合であっても、より適切な目標温度を演算部によって演算することができるようになるため、毛髪の状態をより適切に使用者に報知することができるようになる。すなわち、ヘアドライヤを様々な方法で使用したとしても、整髪効果をより向上させることができるようになる。
【００３６】
また、前記演算部は、乾燥開始時よりも乾燥終了時のほうが低温となるように前記目標温度を演算している。
【００３７】
このように、乾燥終了時における目標温度を乾燥開始時における目標温度よりも低下させることで、毛髪が乾いて温度が下がりにくくなったときに毛髪を加熱しすぎてしまうことを抑制することができ、ヘアドライヤの使用によって毛髪にダメージを与えてしまうのを抑制することが可能となる。その結果、整髪効果をより向上させることができるようになる。
【００３８】
また、ヘアドライヤは、使用環境の温度を測定する使用環境温度測定部をさらに備えている。
【００３９】
そして、前記演算部は、前記使用環境温度測定部により測定された使用環境の温度に基づいて、前記目標温度を調節している。
【００４０】
こうすれば、使用するヘアドライヤの周囲環境の温度に基づいて、より適切な目標温度を演算部によって演算することができるようになるため、毛髪の状態をより適切に使用者に報知することができる。その結果、整髪効果をより向上させることができるようになる。
【００４１】
また、ヘアドライヤは、加熱されている毛髪の高さ位置を測定する毛髪高さ測定部をさらに備えている。
【００４２】
そして、前記演算部は、前記毛髪高さ測定部により測定された毛髪の高さに基づいて、前記目標温度を調節している。
【００４３】
こうすれば、比較的乾き易い毛先における目標温度や比較的乾きにくい根元における目標温度を、より適切な値とすることができるようになるため、毛髪の状態をより適切に使用者に報知することができる。その結果、整髪効果をより向上させることができるようになる。
【００４４】
以下、本発明の実施の形態について、図面を参照しながら説明する。なお、この実施の形態によって本発明が限定されるものではない。
【００４５】
また、以下の複数の実施の形態には、同様の構成要素が含まれている。よって、以下では、それら同様の構成要素には共通の符号を付与するとともに、重複する説明を省略する。
【００４６】
（実施の形態１）
本実施の形態にかかるヘアドライヤ１０は、図１に示すように、送風流路２２が形成されたドライヤ本体２０と、使用者Ｕが手で握る部分である細長の把持部３０と、を備えている。なお、図示省略したが、把持部３０の先端部からは、外部電源等に接続される電源コードが引き出されている。
【００４７】
本実施の形態では、把持部３０は、ドライヤ本体２０に一体に形成されており、ドライヤ本体２０と把持部３０とで略Ｔ字状の外観を呈するように構成されている。このとき、送風流路２２の延在方向（空気流の流向）が把持部３０の長手方向に対して交差する方向となるように、把持部３０をドライヤ本体２０に連設している。
【００４８】
なお、ドライヤ本体２０と把持部３０とで略Ｌ字状の外観を呈するように、把持部３０をドライヤ本体２０に連設させるようにしてもよい。
【００４９】
また、把持部３０をドライヤ本体２０に回動可能に連設し、使用時に、ドライヤ本体２０と把持部３０とで略Ｔ字状あるいは略Ｌ字状の外観を呈するようにしてもよい。
【００５０】
ドライヤ本体２０は、内部が空洞状となるように形成された本体ハウジング２１を備えており、この本体ハウジング２１がドライヤ本体２０の外郭を構成している。
【００５１】
一方、把持部３０は、内部が空洞状となるように形成された把持部側ハウジング３１を備えており、この把持部側ハウジング３１が把持部３０の外郭を構成している。
【００５２】
このように、本実施の形態では、本体ハウジング２１および把持部側ハウジング３１がヘアドライヤ１０の外郭をなすハウジング４０の少なくとも一部を構成している。
【００５３】
このハウジング４０は、例えば、複数の分割体を継ぎ合わせて構成することができる。そして、ハウジング４０の内部には空洞が形成されており、この空洞内に、各種電気部品が収容されている。
【００５４】
本実施の形態では、ドライヤ本体２０の本体ハウジング２１の内部に、長手方向（図１の左右方向）の一方側（右側）の吸入口２２ａから吐出口２２ｂに至る送風流路２２が形成されている。すなわち、ドライヤ本体２０の本体ハウジング２１の内部に、両側部に吸入口２２ａと吐出口２２ｂとを備えた送風流路２２が設けられている。
【００５５】
そして、この送風流路２２内の上流側（吸入口２２ａに近い側）には、送風部２３が配置されており、吸入口２２ａから導入された空気を吐出口２２ｂから吐出させるようにしている。この送風部２３は、例えば、送風流路２２内の上流側に配置されるファンと、ファンの下流側に配置されてファンを駆動するモータと、を備えた構成とすることができる。かかる構成とすれば、モータに通電してファンを駆動し、ファンを回転させた際に、外部から吸入口２２ａを介して送風流路２２内に流入し、当該送風流路２２内を通って吐出口２２ｂから外部に排出される空気流（送風）が形成されるようになる。
【００５６】
また、送風部２３の下流側（送風部２３よりも吐出口２２ｂに近い側）には、送風（空気）を加熱する加熱部２４が配置されている。この加熱部２４を作動させた際には、送風部２３によって形成された空気流（送風）が加熱されて吐出口２２ｂから温風が吹き出されることとなる。この加熱部２４としては、例えば、帯状かつ波板状の電気抵抗体をドライヤ本体２０の本体ハウジング２１の内周に沿って巻回して配置することで形成したヒータを用いることができる。
【００５７】
一方、把持部３０の把持部側ハウジング３１内の空洞には、電源のＯＮとＯＦＦとの切り換え等を行うスイッチ部３２が収容されている。
【００５８】
スイッチ部３２は、把持部側ハウジング３１の表面に露出した操作子３３を操作することで、内部接点の開閉状態を切り換えることができるように構成されている。
【００５９】
さらに、本実施の形態では、送風流路２２内に、ミストや金属微粒子等の荷電微粒子を生成する荷電微粒子生成部が収容されている。なお、送風流路２２内に荷電微粒子生成部を設けないようにすることも可能である。
【００６０】
このような構成をしたヘアドライヤ１０を用い、使用者Ｕが、吐出口２２ｂから吐出する温風を毛髪（使用者自身の毛髪または使用者以外の他者の毛髪）Ｈにあてるようにすれば、洗髪等により濡れた対象者の毛髪Ｈを乾燥させることができる。
【００６１】
このとき、使用者Ｕがヘアドライヤ１０の姿勢を色々と変えながら対象者の毛髪Ｈの複数の部位に温風をあてて加熱することで、対象者の毛髪Ｈの全体を乾燥させるようにするのが一般的である。
【００６２】
さらに、本実施の形態では、ヘアドライヤ１０は、毛髪Ｈの温度を測定する毛髪温度測定部５２と、毛髪Ｈの状態を報知する報知部５１と、を備えている。また、ヘアドライヤ１０は、毛髪Ｈの乾燥時間をカウントするタイマ５４と、毛髪温度測定部５２から出力された出力結果に基づき、報知部５１への出力を演算する演算部５３と、を備えている。
【００６３】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている（図２参照）。
【００６４】
また、演算部５３が、入力された毛髪の温度の測定値および時間計測値に基づいて、報知部５１の制御を行うようにしている（図２参照）。
【００６５】
毛髪温度測定部５２は、本実施の形態では、吐出口２２ｂの外側に設けられている。具体的には、毛髪温度測定部５２は、吐出口２２ｂの外側における下側（把持部３０側）に設けられている。この毛髪温度測定部５２としては、例えば、赤外線センサを用いることができる。
【００６６】
さらに、本実施の形態では、毛髪温度測定部５２は、図１に示すように、検出軸Ａの向きが吐出口２２ｂから吐出される温風の送風方向Ｗに沿った方向となるように設けられている。
【００６７】
すなわち、本実施の形態では、毛髪温度測定部５２は、送風流路２２の領域外の部位（温風が直接当たらない部位）に、検出軸Ａの向きが吐出口２２ｂから吐出される温風の送風方向Ｗに沿った方向となるように設けられている。
【００６８】
ところで、ヘアドライヤ１０を用いて毛髪Ｈを乾燥させる際には、上述したように、ヘアドライヤ１０の姿勢を色々と変えながら毛髪Ｈの複数の部位に温風をあてて加熱するのが一般的である。
【００６９】
このとき、温風エリアの中心を使って、すなわち、吐出口２２ｂの中央部から吐出される温風を主にあてることで、毛髪Ｈを乾燥させる場合がある。また、温風エリアの端を使って、すなわち、吐出口２２ｂの周縁部から吐出される温風を主にあてることで、毛髪Ｈを乾燥させる場合もある。
【００７０】
ここで、例えば、毛髪温度測定部５２を、温風軸上、すなわち、送風流路２２内（温風が直接当たる部位）に配置していると、温風エリアの中心を使って毛髪Ｈを乾燥させる場合には、毛髪温度測定部５２によって毛髪温度を感度よく検知することができる。しかしながら、温風エリアの端を使って毛髪Ｈを乾燥させる場合には、毛髪温度測定部５２の検知可能範囲（視野）５２ａに存在する毛髪Ｈが少なくなってしまい、毛髪温度の検知感度が低下してしまうことがある（図３参照）。なお、図３において実線で示す領域は、温風の吐出範囲である。
【００７１】
これに対して、本実施の形態では、毛髪温度測定部５２を、送風流路２２の領域外の部位（温風が直接当たらない部位）に、検出軸Ａの向きが吐出口２２ｂから吐出される温風の送風方向Ｗに沿った方向となるように設けている。
【００７２】
こうすれば、温風エリアの中心を使って毛髪Ｈを乾燥させる場合であっても、温風エリアの端を使って毛髪Ｈを乾燥させる場合であっても、毛髪温度測定部を毛髪Ｈに対向させることが可能となる（図４参照）。なお、図４において実線で示す領域も温風の吐出範囲である。
【００７３】
このように、送風流路２２の領域外に、検出軸Ａの向きが吐出口２２ｂから吐出される温風の送風方向Ｗに沿った方向となるように毛髪温度測定部５２を設けるようにすれば、ヘアドライヤ１０の使用時における毛髪温度の検知感度をより均一にすることが可能となる。
【００７４】
その結果、毛髪Ｈを、様々な乾燥方法で乾燥させたとしても、ほぼ一定の感度で毛髪温度を測定することができるようになって、毛髪Ｈに仕上がりムラができてしまうのを抑制することができる。
【００７５】
また、毛髪温度測定部５２を、送風流路２２の領域外（温風が直接当たらない部位）に設けているため、毛髪温度の測定時に、温風の影響によるノイズが発生してしまうのを抑制することができる。
【００７６】
さらに、本実施の形態では、毛髪温度測定部５２を吐出口２２ｂの外側における把持部３０側に設けている。
【００７７】
こうすれば、使用者Ｕが使用者自身の毛髪Ｈを温風エリアの端を使って乾燥させる場合に、毛髪Ｈ側に位置することが多い把持部３０側に毛髪温度測定部５２が設けられることとなる。その結果、毛髪温度測定部５２の検知可能範囲（視野）５２ａに、より多くの毛髪Ｈを存在させることができるようになるため、毛髪温度測定部５２によって毛髪Ｈの温度をより確実に検知することができるようになる。
【００７８】
また、本実施の形態では、報知部５１は、本体ハウジング２１の外面に発光体としてのＬＥＤを設けることで形成されている。
【００７９】
このとき、例えば、報知部５１をドライヤ本体２０の中央に設けた場合、毛髪Ｈの状態を認識するためには、使用者Ｕは、毛髪Ｈの加熱部位とドライヤ本体２０の中央に設けられた報知部５１の両方を見る必要がある。そのため、報知部５１をドライヤ本体２０の中央に設けた場合、毛髪Ｈの状態を容易に認識することができないことがあった。
【００８０】
しかしながら、本実施の形態では、本体ハウジング２１の外面における吐出口２２ｂの周囲のほぼ全周にわたって報知部５１を設けている。このように、本体ハウジング２１の外面における吐出口２２ｂの周囲に報知部５１を設けるようにすれば、毛髪Ｈの加熱部位を見ている使用者Ｕの視野の範囲に報知部５１が入るようにすることができる。そのため、使用者Ｕは、視線を移動させることなく毛髪Ｈの状態を確認することができるようになる。
【００８１】
このように、本実施の形態では、報知部５１を本体ハウジング２１の外面における吐出口２２ｂの周囲に設けることで、使用者Ｕが、報知部５１の状態（温風を当てている毛髪Ｈの状態）をより容易に認識できるようにしている。
【００８２】
さらに、本実施の形態では、報知部５１が青色および赤色のいずれかの色で発光するようにＬＥＤ（発光体）を設けている。かかる構成は、例えば、本体ハウジング２１の表側面および裏側面のそれぞれにおける吐出口２２ｂの近辺の１箇所以上に青色ＬＥＤおよび赤色ＬＥＤを配置し、さらに、把持部３０とは反対側の吐出口２２ｂの周囲（吐出口２２ｂの周囲の上部）の１箇所以上にも青色ＬＥＤおよび赤色ＬＥＤを配置することで得ることができる。
【００８３】
このとき、複数の青色ＬＥＤおよび複数の赤色ＬＥＤを吐出口２２ｂの周囲に沿って交互に設け、いずれかの色のＬＥＤを点灯させるようにするのが好ましい。こうすれば、青色ＬＥＤのみを点灯させた場合には、報知部５１が青色のリング状に発光し、赤色ＬＥＤのみを点灯させた場合には、報知部５１が赤色のリング状に発光することとなる。
【００８４】
そして、報知部５１は、毛髪Ｈの状態に基づいて、青色または赤色に発光するように制御されている。本実施の形態では、毛髪Ｈの温度に基づいて、報知部５１が青色または赤色に発光するようにしている。具体的には、毛髪Ｈの温度が所定の温度（後述する目標温度）よりも低い場合には、報知部５１を青色に発光させ、毛髪Ｈの温度が所定の温度（後述する目標温度）以上の場合には、報知部５１を赤色に発光させるようにしている。
【００８５】
このように、本実施の形態では、報知部５１を吐出口２２ｂの周囲に設けるとともに、当該報知部５１を毛髪Ｈの状態（毛髪温度測定部５２によって測定された毛髪温度）に基づいて青色または赤色に発光させるようにしている。こうすれば、ヘアドライヤ１０の使用時に、発光体からの放射光が毛髪Ｈに反射して、毛髪Ｈの加熱されている部位が、報知部５１の発光色に色づいたように見えるため、使用者Ｕは、より直感的に毛髪Ｈの状態を認識することができるようになる。
【００８６】
なお、発光体はＬＥＤに限られるものではなく、発光するものであればどのようなものでもよい。また、発光させる色は、青色および赤色に限られるものではなく、発光させる色を適宜選択することができる。
【００８７】
また、報知部５１による報知方法は、発光体を発光させることに限られるものではなく、例えば、音により報知させるようにすることも可能であるし、発光体および音によって報知させるようにすることも可能である。
【００８８】
タイマ５４は、上述したように、毛髪Ｈの乾燥時間をカウントするものである。
【００８９】
また、演算部５３は、上述したように、毛髪温度測定部５２で測定された出力結果（毛髪の温度の測定値）およびタイマ５４でカウントされたカウント値（時間計測値）が入力されて、報知部５１への出力を演算するものである。このような演算部５３としては、例えば、制御基板上に設けられたマイコン等を用いることができる。
【００９０】
ところで、使用者Ｕがヘアドライヤ１０を用いて毛髪Ｈを乾燥させる際には、単に毛髪Ｈを乾燥させるだけでなく、毛髪Ｈを乾燥させつつ、毛髪Ｈのクセを矯正したり、毛髪Ｈをまとめたりする等の整髪も行うようにするのが一般的である。
【００９１】
そして、整髪効果をより向上させるためには、毛髪Ｈの温度をガラス転移点Ｇ以上とした状態で整髪を行う必要がある。なお、ガラス転移点Ｇは、水分量の異なる複数の毛髪サンプルを用いて想定した結果（図５の黒塗りの点）に基づき算出しており、基本的には、水分量が少なくなるほど、ガラス転移点Ｇは高くなる。
【００９２】
さらに、毛髪Ｈの整髪効果をより向上させるためには、洗髪等により濡れている毛髪（水分量が多く、ガラス転移点Ｇよりも低い温度となっている毛髪）Ｈを、より迅速に、理想領域Ｒの範囲内となるようにするのが好ましい。濡れている毛髪Ｈを理想領域Ｒの範囲内に納めるまでにかかる時間が長くなってしまうと、毛髪Ｈのクセが矯正されずに整髪効果が低下してしまうことがあるためである。なお、理想領域とは、図５に示すように、毛髪Ｈの水分量が１１％以上１３％以下で、毛髪温度が５５℃以上７５℃以下となる範囲のことである。
【００９３】
また、使用者Ｕがヘアドライヤ１０を用いて、毛髪Ｈを乾燥させる際には、ある部位の毛髪Ｈを加熱したら別の部位に移動して移動した部位を加熱するという作業を繰り返し、頭髪全体を少しずつ乾かしていくのが一般的である。
【００９４】
したがって、頭髪全体のうちのある部位における毛髪Ｈに着目すると、この部分では、加熱→放熱→加熱…が繰り返されて、毛髪温度が上下に変化することとなる（図６および図７参照）。そして、特定の部位の毛髪Ｈは、加熱→放熱→加熱…を繰り返すことで、毛髪温度を上下に変化させるとともに、水分量を減少させて、理想領域Ｒに到達することとなる。
【００９５】
このとき、洗髪等により濡れている毛髪Ｈをより迅速に理想領域Ｒに到達させるためには、毛髪Ｈに与えられる熱量の総和を、より短期間で所定の熱量となるようにする必要がある。
【００９６】
ただし、８０℃の風（熱風）を同一の部位に１秒以上あてたり、７５℃の風（熱風）を同一の部位に３秒以上あてたりする等、毛髪Ｈにダメージを与えてしまう熱量（ダメージ限界温度を超える熱量）を短時間に与えてしまうと、毛髪のダメージにより整髪効果が低下してしまう。
【００９７】
したがって、毛髪Ｈにダメージを与えてしまうのを抑制しつつ、より短期間で所定の熱量を毛髪Ｈに与える必要がある。
【００９８】
このような方法としては、例えば、図６に示すように、理想領域Ｒの温度の上限である７５℃に近い温度を目標温度とし、毛髪温度が加熱により目標温度以上となったら別の部位に移動させるようにすることで、毛髪Ｈを少しずつ乾燥させるようにすることが考えられる。
【００９９】
しかしながら、毛髪Ｈは、水分量が多い状態では、気化熱の影響で温まりにくく冷め易いものである。そのため、毛髪Ｈの乾燥の序盤においては、理想領域Ｒの温度の範囲内で乾かしているときに毛髪Ｈに与えられる熱量（毛髪温度が５５℃以上となる部分と、５５℃の横線とで囲まれる領域の面積）は、比較的小さくなっている。そのため、図６に示す方法（目標温度を一定の温度に設定する方法）では、毛髪Ｈが理想領域Ｒに収まるまでの時間が長くなってしまうことがある。そして、毛髪Ｈが理想領域Ｒに収まるまでの時間が長くかかってしまうと、毛髪Ｈのクセを伸ばすことができず、毛髪Ｈをまとめることができない場合がある。
【０１００】
そこで、本実施の形態では、より整髪効果を向上させることができるようにした。具体的には、毛髪Ｈを加熱して上昇させるべき温度を目標温度とし、目標温度を毛髪Ｈの乾燥開始時からの乾燥時間に基づいて演算部５３に演算させるようにした。そして、演算部５３が演算した目標温度となるまで毛髪Ｈを加熱することで、毛髪Ｈをより素早く理想領域Ｒの範囲内に納めることができるようにした。
【０１０１】
さらに、本実施の形態では、毛髪Ｈが濡れているとき（水分量が多いとき）は、毛髪Ｈを加熱したとしても、放熱時にはすぐに毛髪温度が下がる点に着目し、乾燥の初期段階では、目標温度を理想領域Ｒの温度の上限（７５℃）よりも高い温度となるように設定した。そして、乾燥開始時からの時間が経過した乾燥終了時における目標温度が乾燥の初期段階における目標温度よりも低温となるようにした。
【０１０２】
すなわち、演算部５３が、乾燥開始時よりも乾燥終了時のほうが低温となるように目標温度を演算するようにした。こうすることで、毛髪Ｈにダメージ限界温度を超える熱量を与えることなく、毛髪Ｈを素早く理想領域Ｒの範囲内に納めることができるようになる。
【０１０３】
図７には、乾燥開始時からの時間が経過するにつれて目標温度を徐々に下げていくようにしたものを例示している。
【０１０４】
すなわち、図７には、乾燥開始時点における目標温度が最も温度が高い最高温度となるようにし、乾燥終了時点における目標温度が最も低い最低温度となるようにしたものを例示している。なお、目標温度は、乾燥開始時点における最高温度から最低温度となるまでは時間が経過するにつれて徐々に低下しているが、最低温度となった後は、時間が経過しても、一定の値（最低温度）となるようにしている。
【０１０５】
なお、目標温度は、乾燥終了時（乾燥開始時から毛髪Ｈの乾燥に要する平均的な時間が過ぎたとき）において、最低温度となっていればよく、乾燥の途中で目標温度が最低温度となるようにしてもよい。
【０１０６】
ここで、目標温度の最高温度は、例えば、約８０℃とすることができる。また、目標温度の最低温度は、例えば、約７５℃（理想領域Ｒの温度の上限である７５℃に近い値）とすることができる。
【０１０７】
また、乾燥開始時から最低温度となるまでに要する時間は、例えば、１５０〜３００秒の範囲で設定することができる。
【０１０８】
このとき、乾燥開始時から最低温度となるまでに要する時間を、例えば、２００秒等の一定の時間に設定してもよい。また、毛髪の長さを使用者に選択させた結果を元に、乾燥開始時から最低温度となるまでに要する時間を変化させるようにしてもよい。例えば、使用者が選択した毛髪の長さが長い場合には、比較的長い時間が設定されるようにし、使用者が選択した毛髪の長さが短い場合には、比較的短い時間が設定されるようにしてもよい。
【０１０９】
なお、図７に示す目標温度の推移は一例に過ぎず、他の方法で目標温度を推移させるようにしてもよい。例えば、図９に示すように、目標温度を、上下に振動させながら徐々に低下させる（波打つように低下させる）ことも可能である。このとき、乾燥開始時点における目標温度を最高温度とする必要はない。
【０１１０】
また、目標温度を段階的に変化させ、所定時間は一定の温度となるように推移させることも可能である。
【０１１１】
次に、演算部５３による報知部５１の制御方法の一例を図８に基づき説明する。
【０１１２】
まず、ヘアドライヤ１０の操作子３３を操作し、スイッチ部３２の内部接点の開閉状態を切り換えることで、電源をＯＮにする。
【０１１３】
その後、所定の部位の毛髪Ｈに温風をあてて毛髪Ｈの乾燥を開始する（図８のＳ１１）。
【０１１４】
毛髪Ｈの乾燥が開始されると、タイマ５４が作動して乾燥時間をカウントする（図８のＳ１２）。なお、タイマ５４を作動させるタイミングは適宜設定することができる。例えば、電源ＯＮと同時にカウントが開始されるようにしてもよいし、電源をＯＮにしてから所定時間経過した際に、乾燥が開始されたと判断してカウントを開始するようにしてもよい。
【０１１５】
そして、乾燥時間がカウントされると、タイマ５４でカウントされたカウント値（時間計測値）が演算部５３に入力され、演算部５３が、乾燥時間（入力されたカウント値：時間計測値）に基づいて、目標温度を演算する（図８のＳ１３）。
【０１１６】
一方、毛髪温度測定部５２は、毛髪Ｈの温度を測定する（図８のＳ１４）。そして、毛髪温度測定部５２で測定された出力結果（毛髪の温度の測定値）が演算部５３に入力される。
【０１１７】
そして、演算部５３が、毛髪温度測定部５２から出力された出力結果（毛髪の温度の測定値）に基づいて、毛髪温度測定部５２により測定された毛髪Ｈの温度が演算した目標温度に達したか否かを判定する（図８のＳ１５）。すなわち、毛髪温度測定部５２により測定された毛髪Ｈの温度と演算した目標温度とを比較する。
【０１１８】
そして、Ｓ１５の判定に基づき、演算部５３が報知部５１を制御する（図８のＳ１６）。具体的には、毛髪Ｈの温度＜目標温度となっていれば、演算部５３は、報知部５１を青色に発光させる。その後、毛髪Ｈの温度≧目標温度となるまで、上記Ｓ１３〜Ｓ１５の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ１３〜Ｓ１６の動作が繰り返される。
【０１１９】
そして、かかる動作を繰り返すことで、頭髪の全体が乾燥される。
【０１２０】
以上説明したように、本実施の形態にかかるヘアドライヤ１０は、吸入口２２ａおよび吐出口２２ｂを有する送風流路２２が形成されたドライヤ本体２０を備えている。また、ヘアドライヤ１０は、送風流路２２に配置される送風部２３と、送風流路２２内の送風部２３よりも吐出口２２ｂ側に配置される加熱部２４と、を備えている。
【０１２１】
さらに、ヘアドライヤ１０は、毛髪Ｈの温度を測定する毛髪温度測定部５２と、毛髪Ｈの状態（毛髪温度）を報知する報知部５１と、毛髪Ｈの乾燥時間をカウントするタイマ５４と、毛髪温度測定部５２から出力された出力結果に基づき、報知部５１への出力を演算する演算部５３と、を備えている。
【０１２２】
そして、演算部５３は、タイマ５４によりカウントされた乾燥時間に基づいて、加熱すべき目標温度を演算している。
【０１２３】
また、演算部５３は、毛髪温度測定部５２から出力された出力結果に基づいて、毛髪温度測定部５２により測定された温度が目標温度に達したか否かを判定している。
【０１２４】
さらに、演算部５３は、加熱された毛髪Ｈの温度が目標温度に達したか否かに基づき、報知部５１への出力を制御している。
【０１２５】
こうすれば、毛髪をより素早く理想領域（所定の温度範囲と所定の水分量範囲で囲まれる領域）の範囲内に納めることが可能となって、整髪効果をより向上させることができるようになる。
【０１２６】
また、演算部５３は、乾燥開始時よりも乾燥終了時のほうが低温となるように目標温度を演算している。
【０１２７】
このように、乾燥終了時における目標温度を乾燥開始時における目標温度よりも低下させることで、毛髪Ｈが乾いて温度が下がりにくくなったときに毛髪Ｈを加熱しすぎてしまうことを抑制することができ、ヘアドライヤ１０の使用によって毛髪Ｈにダメージを与えてしまうのを抑制することが可能となる。その結果、整髪効果をより向上させることができるようになる。
【０１２８】
（実施の形態２）
本実施の形態にかかるヘアドライヤ１０Ａは、基本的に上記実施の形態１とほぼ同様の構成をしている。すなわち、ヘアドライヤ１０Ａは、図１０に示すように、吸入口２２ａおよび吐出口２２ｂを有する送風流路２２が形成されたドライヤ本体２０を備えている。
【０１２９】
また、ヘアドライヤ１０Ａは、送風流路２２に配置される送風部２３と、送風流路２２内の送風部２３よりも吐出口２２ｂ側に配置される加熱部２４と、を備えている。
【０１３０】
さらに、ヘアドライヤ１０Ａは、毛髪Ｈの温度を測定する毛髪温度測定部５２と、毛髪Ｈの状態（毛髪温度）を報知する報知部５１と、毛髪温度測定部５２から出力された出力結果に基づき、報知部５１への出力を演算する演算部５３と、を備えている。
【０１３１】
そして、毛髪温度測定部５２で測定された出力結果（毛髪の温度の測定値）が演算部５３に入力されるようになっており、演算部５３が、入力された毛髪の温度の測定値および時間計測値に基づいて、報知部５１の制御を行うようにしている（図１１参照）。
【０１３２】
ここで、本実施の形態では、演算部５３が、毛髪温度測定部５２により測定された毛髪Ｈの温度の履歴に基づいて、加熱すべき目標温度を演算している。
【０１３３】
具体的には、加熱、放熱を繰り返す毛髪Ｈは、水分量の多寡によって、所定時間の平均温度が異なる点（例えば、水分量が多い場合、温まりにくく冷め易いため、所定時間の平均温度は低くなる点）に着目し、演算部５３が、過去１秒より長い間の平均温度（最大で乾燥開始直後から演算時点の間に測定された毛髪の温度の平均値）を演算し、演算された過去１秒より長い間の平均温度に基づいて、加熱すべき目標温度を演算するようにしている。
【０１３４】
本実施の形態では、過去１秒より長い間の平均温度が低い場合には、目標温度を理想領域Ｒの温度の上限（７５℃）よりも高い温度となるように設定している。そして、過去１秒より長い間の平均温度が高くなるにつれて目標温度が低温となるようにした。
【０１３５】
すなわち、演算部５３が、過去１秒より長い間の平均温度が高い場合のほうが、過去１秒より長い間の平均温度が低い場合よりも低温となるように目標温度を演算するようにした。
【０１３６】
図１２には、過去１秒より長い間の平均温度が高くなるにつれて目標温度を徐々に下げていくようにしたものを例示している。
【０１３７】
すなわち、図１２には、過去１秒より長い間の平均温度が最も低い場合における目標温度が最も温度が高い最高温度となるようにし、過去１秒より長い間の平均温度が所定の温度以上となった場合に目標温度が最も低い最低温度となるようにしたものを例示している。なお、目標温度は、過去１秒より長い間の平均温度が最も低い場合から過去１秒より長い間の平均温度が所定の温度となるまでは、過去１秒より長い間の平均温度が上昇するにつれて徐々に低下しているが、目標温度が最低温度となった後は、過去１秒より長い間の平均温度が上昇しても、一定の値（最低温度）となるようにしている。
【０１３８】
ここで、目標温度の最高温度は、例えば、約８０℃とすることができる。また、目標温度の最低温度は、例えば、約７５℃（理想領域Ｒの温度の上限である７５℃に近い値）とすることができる。
【０１３９】
また、目標温度が最低温度となる所定の温度は、例えば、５５℃とすることができる。
【０１４０】
なお、図１２に示す目標温度の推移も一例に過ぎず、他の方法で目標温度を推移させるようにしてもよい。例えば、目標温度を、上下に振動させながら徐々に低下させる（波打つように低下させる）ことも可能であるし、目標温度を段階的に変化させ、過去１秒より長い間の平均温度がある温度範囲にある場合は、一定の温度となるように推移させることも可能である。
【０１４１】
そして、演算部５３は、毛髪温度測定部５２から出力された出力結果に基づいて、毛髪温度測定部５２により測定された温度が目標温度に達したか否かを判定している。
【０１４２】
さらに、演算部５３は、加熱された毛髪Ｈの温度が目標温度に達したか否かに基づき、報知部５１への出力を制御している。
【０１４３】
次に、演算部５３による報知部５１の制御方法の一例を図１３に基づき説明する。
【０１４４】
まず、ヘアドライヤ１０Ａの操作子３３を操作し、スイッチ部３２の内部接点の開閉状態を切り換えることで、電源をＯＮにする。
【０１４５】
その後、所定の部位の毛髪Ｈに温風をあてて毛髪Ｈの乾燥を開始する（図１３のＳ２１）。
【０１４６】
そして、毛髪Ｈの乾燥が開始されると、毛髪温度測定部５２により測定された出力結果（毛髪の温度の測定値）が演算部５３に入力される。
【０１４７】
そして、演算部５３が、毛髪Ｈの過去１秒より長い間の平均温度を演算して、演算された過去１秒より長い間の平均温度に基づいて、目標温度を演算する（図１３のＳ２２）。
【０１４８】
さらに、現時点における毛髪Ｈの温度を、毛髪温度測定部５２により測定する（図１３のＳ２３）。
【０１４９】
そして、演算部５３が、毛髪温度測定部５２から出力された出力結果（現時点における毛髪の温度の測定値）に基づいて、毛髪温度測定部５２により測定された毛髪Ｈの現時点における温度が演算した目標温度に達したか否かを判定する（図１３のＳ２４）。すなわち、毛髪温度測定部５２により測定された現時点における毛髪Ｈの温度と演算した目標温度とを比較する。
【０１５０】
そして、Ｓ２４の判定に基づき、演算部５３が報知部５１を制御する（図１３のＳ２５）。具体的には、毛髪Ｈの温度＜目標温度となっていれば、演算部５３は、報知部５１を青色に発光させる。その後、毛髪Ｈの温度≧目標温度となるまで、上記Ｓ２２〜Ｓ２４の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ２２〜Ｓ２５の動作が繰り返される。
【０１５１】
そして、かかる動作を繰り返すことで、頭髪の全体が乾燥される。
【０１５２】
以上の本実施の形態によっても、上記実施の形態１で示したヘアドライヤ１０と同様の作用、効果を奏することができる。
【０１５３】
また、本実施の形態では、演算部５３は、毛髪温度測定部５２により測定された毛髪Ｈの温度の履歴に基づいて、加熱すべき目標温度を演算している。
【０１５４】
また、演算部５３は、毛髪温度測定部５２から出力された出力結果（現時点における毛髪の温度の測定値）に基づいて、毛髪温度測定部５２により測定された現時点における温度が目標温度に達したか否かを判定している。
【０１５５】
そして、演算部５３は、加熱された毛髪Ｈの温度が目標温度に達したか否かに基づき、報知部５１への出力を制御している。
【０１５６】
こうすれば、毛髪Ｈの長さや乾燥開始時の毛髪Ｈの濡れ度合いが変わったとしても、より適切な目標温度を演算部５３によって演算することができるようになるため、毛髪Ｈの状態をより適切に使用者Ｕに報知することができる。その結果、整髪効果をより向上させることができるようになる。
【０１５７】
（実施の形態３）
本実施の形態にかかるヘアドライヤ１０Ｂは、基本的に上記実施の形態１とほぼ同様の構成をしている。すなわち、ヘアドライヤ１０Ｂは、図１４に示すように、吸入口２２ａおよび吐出口２２ｂを有する送風流路２２が形成されたドライヤ本体２０を備えている。
【０１５８】
また、ヘアドライヤ１０Ｂは、送風流路２２に配置される送風部２３と、送風流路２２内の送風部２３よりも吐出口２２ｂ側に配置される加熱部２４と、を備えている。
【０１５９】
さらに、ヘアドライヤ１０Ｂは、毛髪Ｈの温度を測定する毛髪温度測定部５２と、毛髪Ｈの状態（毛髪温度）を報知する報知部５１と、毛髪温度測定部５２から出力された出力結果に基づき、報知部５１への出力を演算する演算部５３と、を備えている。
【０１６０】
ここで、本実施の形態では、ヘアドライヤ１０Ｂは、毛髪Ｈの水分量を測定する毛髪水分量測定部５５を備えている。
【０１６１】
毛髪水分量測定部５５は、本実施の形態では、吐出口２２ｂの外側に設けられている。具体的には、毛髪水分量測定部５５は、吐出口２２ｂの外側における毛髪温度測定部５２の下側（把持部３０側）に設けられている。毛髪水分量測定部５５としては、例えば、電気抵抗を測定するセンサ・静電容量を測定するセンサ・赤外線の吸収量を測定するセンサ等を用いることができる。
【０１６２】
さらに、本実施の形態では、毛髪水分量測定部５５は、図１４に示すように、検出軸Ｂの向きが吐出口２２ｂから吐出される温風の送風方向Ｗに沿った方向となるように設けられている。
【０１６３】
すなわち、本実施の形態では、毛髪水分量測定部５５は、送風流路２２の領域外の部位（温風が直接当たらない部位）に、検出軸Ｂの向きが吐出口２２ｂから吐出される温風の送風方向Ｗに沿った方向となるように設けられている。
【０１６４】
したがって、毛髪水分量測定部５５についても、図４で示す毛髪温度測定部５２の効果（検知感度をより均一にする）と同様の効果を奏することができる。
【０１６５】
そして、毛髪温度測定部５２で測定された出力結果（毛髪の温度の測定値）が演算部５３に入力されるようになっており、毛髪水分量測定部５５で測定された出力結果（毛髪の水分量の測定値）が演算部５３に入力されるようになっている（図１５参照）。
【０１６６】
また、演算部５３が、入力された毛髪の温度の測定値および毛髪の水分量の測定値に基づいて、報知部５１の制御を行うようにしている（図１５参照）。
【０１６７】
さらに、演算部５３が、毛髪水分量測定部５５により測定された毛髪の水分量に基づいて、加熱すべき目標温度を演算している。
【０１６８】
具体的には、毛髪Ｈは、水分量の多寡によって、ダメージを受けてしまうのを抑制しつつ上昇させることが可能な温度が異なる点（例えば、水分量が多い場合、温まりにくく冷め易いため、上昇させる温度を高くすることができる点）に着目し、演算部５３が、毛髪の水分量を演算し、演算された毛髪の水分量に基づいて、加熱すべき目標温度を演算するようにしている。
【０１６９】
目標温度の設定方法としては、上記実施の形態１および実施の形態２で示したものと同様の考え方により設定することができる。例えば、毛髪の水分量が多い場合には、目標温度を理想領域Ｒの温度の上限（７５℃）よりも高い温度となるように設定し、毛髪の水分量が少なくなるにつれて目標温度が低温となるように設定することができる。
【０１７０】
また、演算部５３は、毛髪温度測定部５２から出力された出力結果に基づいて、毛髪温度測定部５２により測定された温度が目標温度に達したか否かを判定している。
【０１７１】
さらに、演算部５３は、加熱された毛髪Ｈの温度が目標温度に達したか否かに基づき、報知部５１への出力を制御している。
【０１７２】
次に、演算部５３による報知部５１の制御方法の一例を図１６に基づき説明する。
【０１７３】
まず、ヘアドライヤ１０Ｂの操作子３３を操作し、スイッチ部３２の内部接点の開閉状態を切り換えることで、電源をＯＮにする。
【０１７４】
その後、所定の部位の毛髪Ｈに温風をあてて毛髪Ｈの乾燥を開始する（図１６のＳ３１）。
【０１７５】
そして、毛髪Ｈの乾燥が開始されると、毛髪水分量測定部５５により毛髪の水分量が測定される（図１６のＳ３２）。そして、毛髪水分量測定部５５で測定された出力結果（毛髪の水分量の測定値）が演算部５３に入力される。
【０１７６】
そして、演算部５３が、毛髪水分量測定部５５で測定された出力結果（毛髪の水分量の測定値）に基づいて、目標温度を演算する（図１６のＳ３３）。
【０１７７】
さらに、毛髪Ｈの温度を、毛髪温度測定部５２により測定する（図１６のＳ３４）。
【０１７８】
そして、演算部５３が、毛髪温度測定部５２から出力された出力結果（毛髪の温度の測定値）に基づいて、毛髪温度測定部５２により測定された毛髪Ｈの温度が、演算した目標温度に達したか否かを判定する（図１６のＳ３５）。すなわち、毛髪温度測定部５２により測定された毛髪Ｈの温度と演算した目標温度とを比較する。
【０１７９】
そして、Ｓ３５の判定に基づき、演算部５３が報知部５１を制御する（図１６のＳ３６）。具体的には、毛髪Ｈの温度＜目標温度となっていれば、演算部５３は、報知部５１を青色に発光させる。その後、毛髪Ｈの温度≧目標温度となるまで、上記Ｓ３２〜Ｓ３５の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ３２〜Ｓ３６の動作が繰り返される。
【０１８０】
そして、かかる動作を繰り返すことで、頭髪の全体が乾燥される。
【０１８１】
以上の本実施の形態によっても、上記実施の形態１で示したヘアドライヤ１０と同様の作用、効果を奏することができる。
【０１８２】
また、本実施の形態では、ヘアドライヤ１０Ｂは、毛髪Ｈの水分量を測定する毛髪水分量測定部５５を備えている。
【０１８３】
そして、演算部５３は、毛髪水分量測定部５５により測定された毛髪Ｈの水分量に基づいて、加熱すべき目標温度を演算している。
【０１８４】
また、演算部５３は、毛髪温度測定部５２から出力された出力結果（毛髪の温度の測定値）に基づいて、毛髪温度測定部５２により測定された温度が目標温度に達したか否かを判定している。
【０１８５】
さらに、演算部５３は、加熱された毛髪Ｈの温度が目標温度に達したか否かに基づき、報知部５１への出力を制御している。
【０１８６】
こうすれば、毛髪Ｈを乾燥させる際に途中で冷風をあてる等した場合であっても、より適切な目標温度を演算部５３によって演算することができるようになるため、毛髪Ｈの状態をより適切に使用者Ｕに報知することができるようになる。すなわち、ヘアドライヤ１０Ｂを様々な方法で使用したとしても、整髪効果をより向上させることができるようになる。
【０１８７】
（実施の形態４）
本実施の形態にかかるヘアドライヤ１０Ｃは、基本的に上記実施の形態１とほぼ同様の構成をしている。すなわち、ヘアドライヤ１０Ｃは、図１７に示すように、吸入口２２ａおよび吐出口２２ｂを有する送風流路２２が形成されたドライヤ本体２０を備えている。
【０１８８】
また、ヘアドライヤ１０Ｃは、送風流路２２に配置される送風部２３と、送風流路２２内の送風部２３よりも吐出口２２ｂ側に配置される加熱部２４と、を備えている。
【０１８９】
さらに、ヘアドライヤ１０Ｃは、毛髪Ｈの温度を測定する毛髪温度測定部５２と、毛髪Ｈの状態（毛髪温度）を報知する報知部５１と、を備えている。また、ヘアドライヤ１０は、毛髪Ｈの乾燥時間をカウントするタイマ５４と、毛髪温度測定部５２から出力された出力結果に基づき、報知部５１への出力を演算する演算部５３と、を備えている。
【０１９０】
さらに、ヘアドライヤ１０Ｃは、使用環境の温度を測定する使用環境温度測定部５６を備えている。使用環境温度測定部５６としては、室温（使用環境温度）を測定する室温センサ等を用いることができる。
【０１９１】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている（図１８参照）。
【０１９２】
また、室温測定部（使用環境温度測定部）５６で測定された出力結果（室温（使用環境温度）の測定値）が演算部５３に入力されるようにしている（図１８参照）。
【０１９３】
さらに、演算部５３が、入力された毛髪の温度の測定値、時間計測値、および室温（使用環境温度）の測定値に基づいて、報知部５１の制御を行うようにしている（図１８参照）。
【０１９４】
ここで、本実施の形態では、演算部５３は、室温測定部（使用環境温度測定部）５６により測定された室温（使用環境温度）に基づいて、目標温度を調節している。
【０１９５】
具体的には、図１９に示すように、室温（使用環境温度）が高い場合には、目標温度が高くなるようにしている。
【０１９６】
また、本実施の形態では、演算部５３は、上記実施の形態１と同様に、タイマ５４によりカウントされた乾燥時間に基づいて、加熱すべき目標温度を演算している。
【０１９７】
また、演算部５３は、上記実施の形態１と同様に、毛髪温度測定部５２から出力された出力結果に基づいて、毛髪温度測定部５２により測定された温度が目標温度に達したか否かを判定している。
【０１９８】
さらに、演算部５３は、上記実施の形態１と同様に、加熱された毛髪Ｈの温度が目標温度に達したか否かに基づき、報知部５１への出力を制御している。
【０１９９】
したがって、本実施の形態では、乾燥開始時からの経過時間が同じ場合であっても、目標温度は、図２０に示すように、室温（使用環境温度）によって変化するようになっている。
【０２００】
なお、図２０では、目標温度を、上下に振動させながら徐々に低下させる（波打つように低下させる）ようにしたものを、室温（使用環境温度）によって変化させるようにしたものを例示したが、これに限られるものではない。
【０２０１】
次に、演算部５３による報知部５１の制御方法の一例を図２１に基づき説明する。
【０２０２】
まず、ヘアドライヤ１０Ｃの操作子３３を操作し、スイッチ部３２の内部接点の開閉状態を切り換えることで、電源をＯＮにする。
【０２０３】
その後、所定の部位の毛髪Ｈに温風をあてて毛髪Ｈの乾燥を開始する（図２１のＳ４１）。
【０２０４】
毛髪Ｈの乾燥が開始されると、タイマ５４が作動して乾燥時間をカウントする（図２１のＳ４２）。なお、タイマ５４を作動させるタイミングは適宜設定することができる。例えば、電源ＯＮと同時にカウントが開始されるようにしてもよいし、電源をＯＮにしてから所定時間経過した際に、乾燥が開始されたと判断してカウントを開始するようにしてもよい。
【０２０５】
そして、室温測定部（使用環境温度測定部）５６は、室温（使用環境温度）を測定する（図２１のＳ４３）。そして、室温測定部（使用環境温度測定部）５６で測定された出力結果（室温（使用環境温度）の測定値）が演算部５３に入力される。
【０２０６】
そして、演算部５３は、室温測定部（使用環境温度測定部）５６により測定された室温（使用環境温度）に基づいて、目標温度を調節する。
【０２０７】
一方、乾燥時間がカウントされると、タイマ５４でカウントされたカウント値（時間計測値）が演算部５３に入力され、演算部５３が、乾燥時間（入力されたカウント値：時間計測値）に基づいて、目標温度を演算する（図２１のＳ４４）。
【０２０８】
また、毛髪温度測定部５２は、毛髪Ｈの温度を測定する（図２１のＳ４５）。そして、毛髪温度測定部５２で測定された出力結果（毛髪の温度の測定値）が演算部５３に入力される。
【０２０９】
そして、演算部５３が、毛髪温度測定部５２から出力された出力結果（毛髪の温度の測定値）に基づいて、毛髪温度測定部５２により測定された毛髪Ｈの温度が、演算した目標温度に達したか否かを判定する（図２１のＳ４６）。すなわち、毛髪温度測定部５２により測定された毛髪Ｈの温度と演算した目標温度とを比較する。
【０２１０】
そして、Ｓ４６の判定に基づき、演算部５３が報知部５１を制御する（図２１のＳ４７）。具体的には、毛髪Ｈの温度＜目標温度となっていれば、演算部５３は、報知部５１を青色に発光させる。その後、毛髪Ｈの温度≧目標温度となるまで、上記Ｓ４３〜Ｓ４６の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ４３〜Ｓ４７の動作が繰り返される。
【０２１１】
そして、かかる動作を繰り返すことで、頭髪の全体が乾燥される。
【０２１２】
以上の本実施の形態によっても、上記実施の形態１で示したヘアドライヤ１０と同様の作用、効果を奏することができる。
【０２１３】
また、本実施の形態では、ヘアドライヤ１０Ｃは、室温（使用環境温度）を測定する室温測定部（使用環境温度測定部）５６をさらに備えている。
【０２１４】
そして、演算部５３は、室温測定部（使用環境温度測定部）５６により測定された室温（使用環境温度）に基づいて、目標温度を調節している。
【０２１５】
こうすれば、使用するヘアドライヤ１０Ｃの周囲環境の温度（室温）に基づいて、より適切な目標温度を演算部５３によって演算することができるようになる。
【０２１６】
例えば、周囲環境の温度（室温）が著しく低い場合には、毛髪Ｈがなかなか温まらず、目標温度に達する前に毛髪Ｈが乾いてしまうことがあった。しかしながら、本実施の形態では、周囲環境の温度（室温）が低い場合には、目標温度が低くなるようにしている。
【０２１７】
そのため、目標温度に達する前に毛髪Ｈが乾いてしまうことを抑制することができ、毛髪Ｈの状態をより適切に使用者Ｕに報知することができる。その結果、整髪効果をより向上させることができるようになる。
【０２１８】
（実施の形態５）
本実施の形態にかかるヘアドライヤ１０Ｄは、基本的に上記実施の形態１とほぼ同様の構成をしている。すなわち、ヘアドライヤ１０Ｄは、図２２に示すように、吸入口２２ａおよび吐出口２２ｂを有する送風流路２２が形成されたドライヤ本体２０を備えている。
【０２１９】
また、ヘアドライヤ１０Ｄは、送風流路２２に配置される送風部２３と、送風流路２２内の送風部２３よりも吐出口２２ｂ側に配置される加熱部２４と、を備えている。
【０２２０】
さらに、ヘアドライヤ１０Ｄは、毛髪Ｈの温度を測定する毛髪温度測定部５２と、毛髪Ｈの状態（毛髪温度）を報知する報知部５１と、を備えている。また、ヘアドライヤ１０は、毛髪Ｈの乾燥時間をカウントするタイマ５４と、毛髪温度測定部５２から出力された出力結果に基づき、報知部５１への出力を演算する演算部５３と、を備えている。
【０２２１】
さらに、ヘアドライヤ１０Ｄは、加熱されている毛髪Ｈの高さ位置を測定する毛髪高さ測定部５７を備えている。毛髪高さ測定部５７としては、気圧を測定する気圧センサ等を用いることができる。
【０２２２】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている（図２３参照）。
【０２２３】
また、毛髪高さ測定部５７で測定された出力結果（気圧（毛髪高さ）の測定値）が演算部５３に入力されるようにしている（図２３参照）。
【０２２４】
さらに、演算部５３が、入力された毛髪の温度の測定値、時間計測値、および気圧（毛髪高さ）の測定値に基づいて、報知部５１の制御を行うようにしている（図２３参照）。
【０２２５】
ここで、本実施の形態では、演算部５３は、毛髪高さ測定部５７により測定された気圧（毛髪高さ）に基づいて、目標温度を調節している。
【０２２６】
具体的には、図２４に示すように、高さ位置が低い毛先を乾燥させる際には、目標温度が低くなるようにしている。
【０２２７】
また、本実施の形態では、演算部５３は、上記実施の形態１と同様に、タイマ５４によりカウントされた乾燥時間に基づいて、加熱すべき目標温度を演算している。
【０２２８】
また、演算部５３は、上記実施の形態１と同様に、毛髪温度測定部５２から出力された出力結果に基づいて、毛髪温度測定部５２により測定された温度が目標温度に達したか否かを判定している。
【０２２９】
さらに、演算部５３は、上記実施の形態１と同様に、加熱された毛髪Ｈの温度が目標温度に達したか否かに基づき、報知部５１への出力を制御している。
【０２３０】
したがって、本実施の形態では、乾燥開始時からの経過時間が同じ場合であっても、目標温度は、図２４に示すように、毛髪Ｈの高さ位置（毛先か根元か）によって変化するようになっている。
【０２３１】
なお、図２４では、目標温度を、上下に振動させながら徐々に低下させる（波打つように低下させる）ようにしたものを、毛髪高さによって変化させるようにしたものを例示したが、これに限られるものではない。
【０２３２】
次に、演算部５３による報知部５１の制御方法の一例を図２５に基づき説明する。
【０２３３】
まず、ヘアドライヤ１０Ｄの操作子３３を操作し、スイッチ部３２の内部接点の開閉状態を切り換えることで、電源をＯＮにする。
【０２３４】
その後、所定の部位の毛髪Ｈに温風をあてて毛髪Ｈの乾燥を開始する（図２５のＳ５１）。
【０２３５】
毛髪Ｈの乾燥が開始されると、タイマ５４が作動して乾燥時間をカウントする（図２５のＳ５２）。なお、タイマ５４を作動させるタイミングは適宜設定することができる。例えば、電源ＯＮと同時にカウントが開始されるようにしてもよいし、電源をＯＮにしてから所定時間経過した際に、乾燥が開始されたと判断してカウントを開始するようにしてもよい。
【０２３６】
そして、毛髪高さ測定部５７は、気圧（毛髪高さ）を測定する。具体的には、まず、毛髪高さ測定部５７が乾燥開始直後１分間のヘアドライヤ１０Ｄの高さ変動を測定し、高さの最も高い位置（気圧が最も低い位置）を毛髪Ｈの根元、高さの最も低い位置（気圧が最も高い位置）を毛髪Ｈの毛先と定義する（図２５のＳ５３）。その後、毛髪高さ測定部５７が気圧（毛髪高さ）を測定する（図２５のＳ５４）。
【０２３７】
そして、毛髪高さ測定部５７で測定された出力結果（気圧の測定値）が演算部５３に入力され、演算部５３が、現状のヘアドライヤ１０Ｄの高さ位置（根元側にあるのか毛先側にあるのか）を判断し、目標温度を演算する。すなわち、毛髪高さ測定部５７により測定された気圧（毛髪高さ）に基づいて、目標温度を調節する。
【０２３８】
一方、乾燥時間がカウントされると、タイマ５４でカウントされたカウント値（時間計測値）が演算部５３に入力され、演算部５３が、乾燥時間（入力されたカウント値：時間計測値）に基づいて、目標温度を演算する（図２５のＳ５５）。
【０２３９】
また、毛髪温度測定部５２は、毛髪Ｈの温度を測定する（図２５のＳ５６）。そして、毛髪温度測定部５２で測定された出力結果（毛髪の温度の測定値）が演算部５３に入力される。
【０２４０】
そして、演算部５３が、毛髪温度測定部５２から出力された出力結果（毛髪の温度の測定値）に基づいて、毛髪温度測定部５２により測定された毛髪Ｈの温度が、演算した目標温度に達したか否かを判定する（図２５のＳ５７）。すなわち、毛髪温度測定部５２により測定された毛髪Ｈの温度と演算した目標温度とを比較する。
【０２４１】
そして、Ｓ５７の判定に基づき、演算部５３が報知部５１を制御する（図２５のＳ５８）。具体的には、毛髪Ｈの温度＜目標温度となっていれば、演算部５３は、報知部５１を青色に発光させる。その後、毛髪Ｈの温度≧目標温度となるまで、上記Ｓ５５〜Ｓ５７の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ５４〜Ｓ５８の動作が繰り返される。
【０２４２】
そして、かかる動作を繰り返すことで、頭髪の全体が乾燥される。
【０２４３】
以上の本実施の形態によっても、上記実施の形態１で示したヘアドライヤ１０と同様の作用、効果を奏することができる。
【０２４４】
また、本実施の形態では、ヘアドライヤ１０Ｄが、加熱されている毛髪Ｈの高さ位置を測定する毛髪高さ測定部５７を備えている。
【０２４５】
そして、演算部５３は、毛髪高さ測定部５７により測定された毛髪Ｈの高さに基づいて、目標温度を調節している。
【０２４６】
こうすれば、比較的乾き易い毛先における目標温度や比較的乾きにくい根元における目標温度を、より適切な値とすることができるようになるため、毛髪Ｈの状態（毛髪温度）をより適切に使用者Ｕに報知することができる。その結果、整髪効果をより向上させることができるようになる。
【０２４７】
以上、本発明の好適な実施の形態について説明したが、本発明は上記実施の形態には限定されず、種々の変形が可能である。
【０２４８】
例えば、上記実施の形態１〜５で示した特徴を適宜組み合わせることが可能である。
【０２４９】
また、ドライヤ本体や把持部、その他細部のスペック（形状、大きさ、レイアウト等）も適宜変更することが可能である。
【産業上の利用可能性】
【０２５０】
本発明によれば、整髪効果をより向上させることのできるヘアドライヤを得ることができる。
【符号の説明】
【０２５１】
１０，１０Ａ，１０Ｂ，１０Ｃ，１０Ｄ  ヘアドライヤ
２０  ドライヤ本体
２２  送風流路
２２ａ  吸入口
２２ｂ  吐出口
２３  送風部
２４  加熱部
３０  把持部
５１  報知部
５２  毛髪温度測定部
５３  演算部
５４  タイマ
５５  毛髪水分量測定部
５６  室温測定部（使用環境温度測定部）
５７  毛髪高さ測定部
【図１】
2017196020.tif 000003
【図２】
2017196020.tif 000004
【図３】
2017196020.tif 000005
【図４】
2017196020.tif 000006
【図５】
2017196020.tif 000007
【図６】
2017196020.tif 000008
【図７】
2017196020.tif 000009
【図８】
2017196020.tif 000010
【図９】
2017196020.tif 000011
【図１０】
2017196020.tif 000012
【図１１】
2017196020.tif 000013
【図１２】
2017196020.tif 000014
【図１３】
2017196020.tif 000015
【図１４】
2017196020.tif 000016
【図１５】
2017196020.tif 000017
【図１６】
2017196020.tif 000018
【図１７】
2017196020.tif 000019
【図１８】
2017196020.tif 000020
【図１９】
2017196020.tif 000021
【図２０】
2017196020.tif 000022
【図２１】
2017196020.tif 000023
【図２２】
2017196020.tif 000024
【図２３】
2017196020.tif 000025
【図２４】
2017196020.tif 000026
【図２５】
2017196020.tif 000027